(57)【要約】【課題】発光ユニットを保持する機構が保護されていることで衝撃を受けても動作不良が起きにくい照明装置の提供。【解決手段】内部に収容空間（２０）が画成されるよう管状に形成され、主管部（２１）とこの両端から各々より小径に延伸している一対の端管部（２２）を有する外管（２）、外管（２）の両端で収容空間（２０）に各々配置されて、その外面の少なくとも一部が端管部（２２）の該外面と対応する一つの内面と密接している一対の硬質のスリーブ管（３）、外管（２）の両端に設けられ、内側に取付空間（４１０）が画成されるよう管状に形成された周壁（４１１）を有し、周壁（４１１）がスリーブ管（３）内に密嵌されている軟質の取付部材（４１）、各取付部材（４１）の間に設置されている放熱管（５）、放熱管（５）の外面に設けられている回路基板（６１）と、それに設けられている複数の発光手段（６２）とを有する発光ユニット（６）、を具えていることを特徴とする照明装置を提供する。【選択図】図３
2013243132.tif 000002
【特許請求の範囲】
【請求項１】
内部に収容空間が画成されるように管状に形成されており、主管部及び該主管部の両端からそれぞれより小径に延伸している一対の端管部を有する外管と、
前記外管の両端で前記収容空間にそれぞれ配置されているスリーブ管であって、その外面の少なくとも一部が前記端管部の該外面と対応する一つの内面と密接している一対の硬質のスリーブ管と、
前記外管の両端にそれぞれ設けられていると共に、その内側に取付空間が画成されるように管状に形成された周壁を有しており、該周壁が前記一対のスリーブ管における対応する一つの内に密嵌されている一対の軟質の取付部材と、
前記収容空間内で前記一対の取付部材の間に設置されている放熱管と、
前記放熱管の外面に設けられている回路基板と、該回路基板に設けられている複数の発光手段とを有する発光ユニットと、を具えていることを特徴とする照明装置。
【請求項２】
前記外管は、ガラスからなっており、
前記スリーブ管は、ガラス、プラスチック及びセラミックからなる群より選ばれる材料からなっている
ことを特徴とする請求項１に記載の照明装置。
【請求項３】
前記放熱管の両端にそれぞれ前記回路基板と接続されて設けられている発光制御モジュールを更に具えており、
該発光制御モジュールは、前記取付部材の前記取付空間内に密嵌されており、外部から入力される交流電源を直流電源に変換して前記発光手段に供給することができる
ことを特徴とする請求項１または２に記載の照明装置。
【請求項４】
前記取付部材は、前記発光制御モジュールに当接するように前記周壁から前記取付空間に向かって突出している少なくとも一つのリブを有している
ことを特徴とする請求項３に記載の照明装置。
【請求項５】
前記取付部材は、ゴムからなっている
ことを特徴とする請求項４に記載の照明装置。
【請求項６】
前記発光制御モジュールは、互いに間隔をおいて設けられている２つの発光制御回路基板と、各該発光制御回路基板を電気的に繋ぐ導電部材とを有している
ことを特徴とする請求項３に記載の照明装置。
【発明の詳細な説明】
【技術分野】
【０００１】
本発明は、照明装置に関し、特に発光ダイオードを光源とする照明装置に関する。
【背景技術】
【０００２】
図４は発光ダイオードを用いた照明装置における従来の例を示す断面図である。この照明装置は、より小径の両端部を有する透光性の外管１１と、外管１１の両端側にそれぞれ前記小径の両端部に挿嵌されていると共にその内面に内側に向かって突出し外管１１の長さ方向に延伸する複数のリブ１２１を有する管状のゴムからなる取付部材１２と、外管１１の該両端の開口を塞ぐように各取付部材１２の外側端に嵌め込まれている取付板１３と、外管１１の内部に設けられている発光ユニット１４と、各取付部材１２の内部に嵌装されており発光ユニット１４の発光を制御する発光制御モジュール１５とを具えている。
【０００３】
発光ユニット１４は、外管１１の長さ方向に沿って延伸している放熱管（図示せず）と、該放熱管の外周面を覆うように設けられている回路基板１４１と、回路基板１４１に複数設けられている発光手段１４２とを有している。
【０００４】
発光制御モジュール１５は、外管１１の長さ方向に互いに間隔を置いて設けられている第１と第２の発光制御回路基板１５１、１５２と、これらの間に少なくとも一つ設けられている電子素子１５３と、第１と第２の発光制御回路基板１５１、１５２とにそれぞれはんだ付けされている導電部材１５４とを有しており、この導電部材１５４は金属で細長く形成されている。
【０００５】
このような照明装置は、外管１１のより小径の両端部で発光制御モジュール１５を外管１１内に保持し、そして発光制御モジュール１５で発光ユニット１４を保持しているが、これらの小径の両端部とそれらとそれぞれ対応する発光制御モジュール１５との間にはゴムからなる取付部材１２が介在しているので、ゴムの柔軟性で照明装置にかかる振動を吸収し、発光制御モジュール１５乃至発光ユニット１４を振動から保護することができる。しかしながら、ゴムからなる取付部材１２は撓みやすいので、例えば搬送の過程においては衝撃から保護するために緩衝材に包まれるが、それでも例えば他の物に勢いよくぶつかったりして照明装置に大きな衝撃が加わると、取付部材１２の内側に位置する一端部、即ち外管１１のより小径の両端部内から外管１１の中心部の方向へ伸びる一端部は急に撓んで、発光制御モジュール１５における第２の発光制御回路基板１５２を揺さぶって変形させる可能性がある。また発光制御回路基板が変形すると、導電部材１５４との接着箇所にも負荷がかかり接着が外れたりして、接触不良が起きる。ひいてはこれらが原因となって発光ユニット１４の発光制御に支障を来たす。
【０００６】
以下に示した各特許文献にも、発光ダイオードを用いた照明装置が開示されているが、やはりどれも発光制御モジュールに特別な保護を図っているものではなく、例えば搬送中に衝撃が加わったりすると、同様に発光制御回路基板の変形や導電部材の接触不良による照明装置の動作不良が起きやすい。
【先行技術文献】
【特許文献】
【０００７】
【特許文献１】台湾登録実用新案第Ｍ３４７５２４号公報
【特許文献２】台湾登録実用新案第Ｍ３４４４３８号公報
【特許文献３】台湾登録実用新案第Ｍ３９８３０８号公報
【発明の概要】
【発明が解決しようとする課題】
【０００８】
本発明は、上記問題点を解決するために提案されたもので、特に発光制御モジュールなど、発光ユニットを制御すると共にこれを保持している機構が適切に保護されていることにより、衝撃を受けても動作不良が起きにくい照明装置の提供を目的とする。
【課題を解決するための手段】
【０００９】
前記目的を達成するために、本発明は、
内部に収容空間が画成されるように管状に形成されており、主管部及び該主管部の両端からそれぞれより小径に延伸している一対の端管部を有する外管と、
前記外管の両端で前記収容空間内にそれぞれ設置されているスリーブ管であって、その外面の少なくとも一部が前記端管部の該外面と対応する一つの内面と密接している一対の硬質のスリーブ管と、
前記外管の両端にそれぞれ設けられていると共に、その内側に取付空間が画成されるように管状に形成された周壁を有しており、該周壁が前記一対のスリーブ管における対応する一つの内に密嵌されている一対の軟質の取付部材と、
前記収容空間内で前記一対の取付部材の間に設置されている放熱管と、
前記放熱管の外面に設けられている回路基板と、該回路基板に設けられている複数の発光手段とを有する発光ユニットと、を具えていることを特徴とする照明装置を提供する。
【００１０】
なお、前記外管は、ガラスからなっているとよく、前記スリーブ管は、ガラス、プラスチック及びセラミックからなる群より選ばれる材料からなっているとよい。
【００１１】
また、前記放熱管の両端にそれぞれ前記回路基板と接続されて設けられている発光制御モジュールを更に具えており、該発光制御モジュールは、前記取付部材の前記取付空間内に密嵌されており、外部から入力される交流電源を直流電源に変換して前記発光手段に供給できることが好ましい。
【００１２】
また、前記取付部材は、ゴムからなっており、前記発光制御モジュールに当接するように前記周壁から前記取付空間に向かって突出している少なくとも一つのリブを有していることが好ましい。
【００１３】
更に、前記発光制御モジュールは、互いに間隔をおいて設けられている２つの発光制御回路基板と、各該発光制御回路基板を電気的に繋ぐ導電部材とを有していることが好ましい。
【発明の効果】
【００１４】
上記構成によれば、本発明の照明装置は、外管のより小径の両端部と、該両端部内において放熱管及び発光ユニットなどを保持している機構との間に、軟質の取付部材だけでなく、硬質のスリーブ管も周りから取付部材の小径の両端部から延びている端部までを覆うように介在しているので、軟質の取付部材の小径の両端部から延びている端部は硬質のスリーブ管に維持され、照明装置に大きな衝撃が加わっても撓みにくくなる。
【図面の簡単な説明】
【００１５】
【図１】本発明に係る照明装置の好ましい実施形態を示す斜視図である。
【図２】本発明に係る照明装置の好ましい実施形態を示す部分拡大分解図である。
【図３】本発明に係る照明装置の好ましい実施形態を示す断面図である。
【図４】発光ダイオードを用いた照明装置における従来の例を示す断面図である。
【発明を実施するための形態】
【００１６】
以下、添付図面を参照しながら、具体的な実施形態を挙げて本発明を詳しく説明する。
【００１７】
図１、図２、図３は本発明に係る照明装置の好ましい実施形態を示しており、該照明装置は概ね管状の外管２、外管２の内部に設けられている一対のスリーブ管３、一対のスリーブ管３の内部にそれぞれ設けられている一対の取付ユニット４、一対の取付ユニット４の間に設けられている放熱管５、放熱管５の周囲に設けられている発光ユニット６を具えている。
【００１８】
外管２は、内部に収容空間２０が画成されるように両端開口の管状に形成されており、主管部２１と、主管部２１の長さ方向両端からそれぞれ窄まって延伸している、つまり小径に延伸している一対の端管部２２を有している。また、外管２は透光性の材料からなっており、本実施形態ではガラスを用いたが、これに限らず透光性のある他の材料を用いても構わない。
【００１９】
スリーブ管３は、硬質で管状に形成されており、それぞれ外管２の両端の内部に位置するように収容空間２０に配置されている。また、スリーブ管３は、外管２の端管部２２よりも長く形成されており、その外面の少なくとも一部（具体的にはそれぞれ両端に近い部分）が、対応する外管２の端管部２２の一つの内面と密接している。言い換えれば、スリーブ管３はそれぞれの外側に近い部分が外管２の端管部２２に密嵌され、内側に近い部分が外管２の主管部２１に間に空間を挟んで囲まれている（図３参照）。また、スリーブ管３を構成する材料としては、ガラス、プラスチック及びセラミックからなる群より選ばれるとよく、本実施形態では放熱効果に優れるガラスを用いた。なお、プラスチックを用いる場合には硬質のプラスチックを用いるとよい。
【００２０】
取付ユニット４は、外管２の両端でそれぞれスリーブ管３にほぼ全体が挿入されるように設けられている管状の取付部材４１と、外管２の両端開口を塞ぐように各取付部材４１の外側端に嵌め込まれている円盤状の取付板４２とを有している。
【００２１】
取付部材４１は本実施形態において軟質で弾性を有するゴムからなっており、その内側に取付空間４１０が画成されるように管状に形成されていると共にスリーブ管３内に密嵌されている周壁４１１と、周壁４１１の外端から外管２の端管部２２よりも径大となるように広がって形成されたフランジ部４１２と、周壁４１１から取付空間４１０に向かって、つまり内部に向かって突出し、且つ取付部材４１の管状の長さ方向に延伸している複数のリブ４１３を有している。なお、リブ４１３は一つだけ設けても構わない。
【００２２】
取付板４２はセラミックからなっており、フランジ部４１２内に嵌め込まれている。
【００２３】
放熱管５は、外管２の収容空間２０内で一対の取付部材４１の間に設置されている。本実施例における放熱管５は断面視において六辺形を呈するように形成された中空管状体であり、発光ユニット６で発生する熱を発散できるようにその内部に放熱空間５０を有している。
【００２４】
発光ユニット６は、放熱管５の外面を覆うように設けられている回路基板６１と、回路基板６１に設けられている複数の発光手段６２と、発光手段６２の発光を制御する一対の発光制御モジュール６３と、一対の電源端子６４を有している。
【００２５】
回路基板６１は、これに限定されないが本実施形態においてはフレキシブルプリント基板を用いており、図示されていないが発光手段６２の設置位置や配線がプリントされている。また、放熱管５を包み込むように管状に曲げられてその両端が留め具６１１で留め合わされている。これにより、回路基板６１は放熱管５の外面に密着しているので、照明装置の点灯中に回路基板６１で発生する熱を放熱管５を介して発散することができる。なお、回路基板６１を管状に留め合わせる方法は他でもよく、例えばはんだ付けで留め合わされても構わない。
【００２６】
発光手段６２は、本実施形態においては発光ダイオードを用いており、照明装置の照明角度を広げるよう管状に曲げられた回路基板６１の全面にわたって設置されているが、発光手段６２の種類、個数及び設置位置は本発明において限定されない。なお、発光手段６２が発光中に発する熱は、回路基板６１及び放熱管５を介して放熱空間５０に発散可能である。
【００２７】
発光制御モジュール６３は、本実施形態において放熱管５の両端に設けられていると共に、内外に間隔をおいて、つまり放熱管５の長さ方向に互いに間隔をおいて設けられている２つの発光制御回路基板６３１と、各発光制御回路基板６３１の間に少なくとも一つ設けられている電子素子６３２と、各発光制御回路基板６３１を電気的に繋いでいる導電部材６３３とを有している。
【００２８】
発光制御回路基板６３１は、それぞれ円盤状に形成されており、そのうち外側にある一方が端管部２２内に、内側にある一方が主管部２１内に位置するように取付部材４１の取付空間４１０において複数のリブ４１３に当接されていることで取付空間４１０に密嵌されている。なお、取付部材４１は上述の通りゴムでできており、リブ４１３もまた弾性を有しているので、各発光制御回路基板６３１を弾性的に押さえつけるように固定できる。
【００２９】
電子素子６３２は例えばインダクタやレジスタである。
【００３０】
導電部材６３３は金属で細長く形成されていると共に、各発光制御回路基板６３１にはんだ付けで接続されており、各発光制御回路基板６３１の電気信号を伝えることができる。
【００３１】
また、発光制御モジュール６３は更に、電源端子６４を経て外部から入力される交流電源を直流電源に変換して発光手段６２に供給したり発光手段６２の点滅を制御したりできる他の電子素子や回線を有しており、それぞれ回路基板６１と電気的に接続されている。この接続方法として本実施形態でははんだ付けを用いたがこれに限定されず、例えばコネクターやジャンパー線を用いて接続しても良い。
【００３２】
電源端子６４は、それぞれ発光制御モジュール６３に電気的に接続されており、それぞれ取付ユニット４の取付板４２を貫いて外側に突出している２本のピン６４１を有している。これらピン６４１が照明装置のソケット（図示せず）に接続されて交流の外部電源に接続されると、電流が発光制御モジュール６３を経ることで直流電源に変換され更には発光手段６２に供給される。
【００３３】
本発明の主な改良点は、スリーブ管３を外管２と取付部材４１の間に配置したことで、取付部材４１において外管２の端管部２２に包まれている部分のみならず、主管部２１内に突き出ていて外管２と直接接していない部分までも硬質のスリーブ管３に包まれていること、つまり硬質のスリーブ管３により軟質の取付部材４１がその全長にわたって包まれていることにより、例えば照明装置の搬送などの過程で強い衝撃が加わった際にも、取付部材４１が撓んでしまうことが防がれている。
【００３４】
このように本発明に係る照明装置によれば、強い衝撃を受けても取付部材４１が変形しないので、取付部材４１の内部に配置されている発光制御モジュール６３も保護され、例えば２つの発光制御回路基板６３１のうち特に主管部２１内に位置している一方が撓んだ取付部材４１に圧迫されて変形したり位置がずれたり、発光制御回路基板６３１の変形や位置ずれにより導電部材６３３が引っ張られてはんだ付け部分が脱落したりするという従来の問題が解決されている。  
なお、本実施形態におけるスリーブ管３は、外管２の両端にそれぞれ取付部材４１を挿嵌させられるだけの長さを有するように形成されているものであり、外管２と同じほどの長さを有するものではないという点に注意されたい。これにより、本発明に係る照明装置は、重量や製造コストをほとんど増さずに、発光制御モジュール６３に対する保護の大幅な強化が果たされている。
【００３５】
以上、本発明の好ましい実施形態を説明したが、本発明はこれに限定されるものではなく、その要旨を逸脱しない範囲で種々の変更が可能である。
【産業上の利用可能性】
【００３６】
本発明にかかる照明装置によれば、内部構造の保護が大幅に強化されているので、衝撃に強い照明装置の製造に有用である。
【符号の説明】
【００３７】
２          外管
２０        収容空間
２１        主管部
２２        端管部
３          スリーブ管
４          取付ユニット
４１        取付部材
４１０      取付空間
４１１      周壁
４１２      フランジ部
４１３      リブ
４２        取付板
５          放熱管
５０        放熱空間
６          発光ユニット
６１        回路基板
６１１      留め具
６２        発光手段
６３        発光制御モジュール
６３１      発光制御回路基板
６３２      電子素子
６３３      導電部材
６４        電源端子
６４１      ピン
【図１】
2013243132.tif 000003
【図２】
2013243132.tif 000004
【図３】
2013243132.tif 000005
【図４】
2013243132.tif 000006